【事件の表示】
　特願２００６−３３３２５０「高結晶性物質含有組成物」拒絶査定不服審判事件〔平成２０年　６月２６日出願公開、特開２００８−１４３８４１〕について、次のとおり審決する。
【結　論】
　本件審判の請求は、成り立たない。
【理　由】
第１　手続の経緯　
　
　本願は、２００６年１２月１１日の出願であって、その後の手続の経緯は、次のとおりである。　
　
　平成２３年　９月２９日付け　　拒絶理由通知書　
　　　同　年１１月３０日付け　　意見書及び手続補正書　
　　　同　年１２月２８日付け　　拒絶理由通知書（最後）　
　平成２４年　３月　６日付け　　意見書及び手続補正書　
　　　同　年　４月　６日付け　　拒絶査定　
　　　同　年　７月１３日付け　　審判請求書及び手続補正書　
　平成２５年１１月２９日付け　　審尋　
　平成２６年　２月　７日付け　　回答書　
　
第２　平成２４年７月１３日付けの手続補正についての補正却下の決定　
　
［補正却下の決定の結論］　
　
　平成２４年７月１３日付けの手続補正（以下、「本件補正」という。）を却下する。　
　
［理由］　
　
１．補正の内容　
　
　本件補正は、請求項１を次のとおり補正するものである。（下線は補正箇所を示す。）　
　
「【請求項１】　
　下記（Ａ）−（Ｅ）を含有する高結晶性物質含有組成物
であって、高結晶性物質が、γ−オリザノール、Ｌ−メントール、β−カロチン、Ｌ−アスコルビン酸パルミチン酸エステル、チアミンラウリル硫酸塩、葉酸、ウコン色素、α−リポ酸、ケルセチン、ルチン、コメヌカロウ、フェルラ酸及び３．４−メチレンジオキシフェノールのいずれかである高結晶性物質含有組成物
　（Ａ）高結晶性物質１−１５重量％　
　（Ｂ）水酸基価が７７０以上、１２００以下、かつ全ての水酸基のうち１級水酸基が５０重量％以上９０重量％以下であり、さらに環状体含有量が２５重量％以下であるポリグリセリンと脂肪酸とがエステル化されたポリグリセリン脂肪酸エステル１５−４０重量％　
　（Ｃ）ＩＯＢ（無機／有機バランス）値が０．２０−０．６０である液状油２０−４０重量％　
　（Ｄ）多価アルコール１０−５９重量％　
　（Ｅ）水０−５重量％」　
　
２．補正の適否　
　
　本件補正は、平成１８年法律第５５号改正附則第３条第１項によりなお従前の例によるとされる同法による改正前の特許法（以下、「平成１８年改正前特許法」という。）第１７条の２第４項第２号に規定された特許請求の範囲の減縮を目的とするものに該当する。
　そこで、本件補正後の前記請求項１に係る発明（以下、「本願補正発明」という。）が特許出願の際独立して特許を受けることができるものであるか否か（平成１８年改正前特許第１７条の２第５項において準用する同法第１２６条第５項の規定に違反するか否か）について以下に検討する。
　
（１）本願補正発明　
　
　本願補正発明は、前記「１．補正の内容」に記載したとおりのものである。
　
（２）刊行物及びその記載事項　
　
（２−１）原査定の拒絶理由に引用された本願の出願日前に頒布された刊行物である「国際公開第２００６／０３５９００号」（原査定の引用文献１。以下、「刊行物１」という。）には、次の事項が記載されている。
　なお、下線は、当審にて付したものである。
　
（刊１−１）「請求の範囲　
［１］
コエンザイムＱ
１０
、中鎖トリグリセライド、界面活性剤、多価アルコール及び水を含有し、コエンザイムＱ
１０
１０重量部に対する中鎖トリグリセライドの割合が１〜１０重量部、組成物１００重量％に含まれる水の割合が１０〜４０重量％である、乳化組成物
・・・　
［３］中鎖トリグリセライドが、カプロン酸トリグリセライド、カプリル酸トリグリセライド、カプリン酸トリグリセライド、ラウリン酸トリグリセライド、
カプロン酸／カプリル酸混合トリグリセライド
・・・　
［１１］食品、医薬品、医薬部外品、化粧品または飼料のいずれかである、請求項９記載の製品。」　
　
（刊１−２）「技術分野　
［０００１］　本発明は、コエンザイムＱ１０を含有する乳化組成物に関する。より詳細には、本発明は保存安定性に優れ、また水に対する溶解性または分散性に優れたコエンザイムＱ１０含有乳化組成物に関する。さらに本発明は、生体吸収性、特に経口投与による生体吸収性に優れたコエンザイムＱ１０含有乳化組成物に関する。　
・・・　
背景技術　
［０００３］　
コエンザイムＱ
１０
は、生体内でのＡＴＰ（アデノシン三リン酸）産生に欠かせない成分
生体エネルギー産生の必須成分
・・・　
［０００６］　
コエンザイムＱ
１０
は油溶性の物質
［０００７］　
従来から、コエンザイムＱ
１０
等のような脂溶性成分を、水溶性の食品、医薬品または化粧品等に安定的に配合する方法として、一般的に乳化・可溶化という方法が採用されている
・・・　
発明が解決しようとする課題　
［００１０］　本発明は、
保存安定性に優れ、また水に対する溶解性または分散性に優れたコエンザイムＱ
１０
含有乳化組成物
課題を解決するための手段　
［００１１］　本発明者らは、上記目的を達成するために鋭意検討していたところ、コエンザイムＱ１０に対して、特定量の中鎖トリグリセライドを、界面活性剤、多価アルコール及び水と共に配合して調製した乳化組成物が、水との相溶性に優れており、水と混合した場合に、高い透明性をもって溶解または分散することを見出した。さらに、当該乳化組成物は保存安定性に優れており、長期保存後も上記効果を安定して保持していることが確認された。また本発明者らは、上記の組成からなるコエンザイムＱ１０含有乳化組成物が、生体吸収性、特に経口投与による体内吸収性に優れており、体内抗酸化に有効に働くことを見いだした。本発明はこれらの知見に基づいて完成されたものである。　
・・・　
［００２８］　
本発明で使用する中鎖トリグリセライド（Medium chain triglycerides）
中鎖トリグリセライドとして好ましくは混合トリグリセライド、特にカプロン酸／カプリル酸混合トリグリセライドである
・・・　
［００３０］　
本発明で使用する界面活性剤は、食品、医薬品および化粧品の分野で乳化剤や分散剤として広く使われているものであればよく特に制限されない
好ましくは
ポリグリセリン脂肪酸エステル
［００３１］　ここでグリセリン脂肪酸エステルおよびショ糖脂肪酸エステルとしては、特に制限されるものではないが、ＨＬＢ１０以上のものが望ましく、例えばＨＬＢ１０〜１６のものを挙げることができる。グリセリン脂肪酸エステルとして、
好適には炭素数１２〜２２、重合度５以上であるポリグリセリン脂肪酸エステル、具体的には
デカグリセリンステアリン酸エステル
を挙げることができる。好ましくは、デカグリセリンステアリン酸エステル
より好ましくはデカグリセリンステアリン酸エステル
　
（刊１−３）「実施例　
［００８０］　以下に、本発明の構成ならびに効果をより明確にするために、実験例および実施例を記載する。但し、本発明は、これらの実験例等に何ら制限されるものではない。
実験例１
　表１に示す処方および下記の方法に従って、本発明に係るコエンザイムＱ１０含有乳化組成物を調製した。なお、
中鎖トリグリセライドとして、カプリル酸／カプロン酸混合トリグリセライド（商品名：ＯＤＯ、日清オイリオ（株）製）を使用
［００８１］　＜調製方法＞　
　
コエンザイムＱ
１０
、中鎖トリグリセライド
及びデカグリセリンモノステアリン脂肪酸エステル（ＨＬＢ１５）
グリセリンに添加
水を添加
［００８２］［表１］
」　
　
（２−２）原査定の拒絶理由に引用された本願の出願日前に頒布された刊行物である「国際公開第２００６／０４１０１１号」（原査定の引用文献２。以下、「刊行物２」という。）には、次の事項が記載されている。
　
（刊２−１）「請求の範囲　
［１］　水酸基価が１２００以下であり、かつ全ての水酸基のうち１級水酸基が５０％以上であるポリグリセリンと脂肪酸とがエステル化されたポリグリセリン脂肪酸エステル。
［２］　請求項１のポリグリセリン脂肪酸エステルを含有する乳化乃至可溶化組成物。
［３］　請求項１のポリグリセリン脂肪酸エステルを含有する飲食品。
［４］　請求項１のポリグリセリン脂肪酸エステルを含有する化粧品。」
　
（刊２−２）「技術分野　
［０００１］　本発明は、乳化、可溶化などを目的とする食品用、化粧品用、医薬品用及び工業用の界面活性剤として利用できるポリグリセリン脂肪酸エステルおよびこれを含有する組成物に関する。　
・・・　
［０００７］　従って、本発明は、従来の界面活性剤では不可能であった可溶化物や安定な乳化物の製造を可能にするポリグリセリン脂肪酸エステルおよびこれを含有する組成物を提供することを課題とする。　
・・・　
発明の効果　
［０００９］　本発明により従来の界面活性剤では不可能であった可溶化物や安定な乳化物の製造が可能となる。　
発明を実施するための最良の形態　
・・・
［００１１］　本発明のポリグリセリン脂肪酸エステルは、水酸基価が１２００以下であり、かつ全ての水酸基のうち１級水酸基が５０％以上であるポリグリセリンと、脂肪酸とがエステル化されていることに一つの大きな特徴を有する。　
［００１２］　かかる特徴を有することにより、本発明のポリグリセリン脂肪酸エステルは可溶化性能および乳化性能に優れた界面活性剤として使用することができる。　
・・・　
［００１５］　・・・また、
作業性および脂肪酸とのエステル化の容易性の観点から、水酸基価は７７０以上が好ましい
・・・　
［００１９］　あるいは、前記のようにグリセリンを原料としてポリグリセリンを製造した場合、脱水縮合に際して分子内縮合により
６員環や８員環など好ましくない副生成物が多く発生するので、これら副生成物が発生しないように
合成、精製して副生成物をほとんど含有しないポリグリセリンを調製することもできる
・・・　
［００３９］　さらに、
本発明のポリグリセリン脂肪酸エステルに油性物質を混合して、油性物質の乳化乃至可溶化組成物としてもよい
例えば
脂溶性ビタミン
カロチン
などの油溶性色素
ウコン抽出物
オリザノール、米ぬか油抽出物
米ぬか油などの油脂の他
フラボン、フラボノール、フラバノン
イソフラボン、カルコン
といったフラボノイド類
［００４０］　
この油性物質の乳化乃至可溶化組成物調製においては、本発明のポリグリセリン脂肪酸エステルと油溶性物質の他に、組成物の安定性向上や組成物を水に分散させたときの安定性向上を目的として、多価アルコールの配合が推奨される。この場合の多価アルコールとしては特に限定するものではないが、グリセリン、プロピレングリコール、ポリグリセリン、液糖といったものが例示でき、特に安全性や取り扱いやすさの点からグリセリンが好適に利用できる
また補助的に
水
の使用も可能である
　
（刊２−３）「実施例　
・・・　
［００７５］試験例Ａ−１　
　市販の８０％純度
ビタミンＥ
に
得られたポリグリセリン脂肪酸エステル
を加え
［００７６］　表Ａ−１より、
水酸基価が１２００以下であり且つ１級水酸基の割合が５０％以上のポリグリセリンを用いたポリグリセリン脂肪酸エステルが優れた可溶化力を有する
［００７７］試験例Ａ−２　
　
水
に
得られたポリグリセリン脂肪酸エステル
大豆白絞油
を加え
Ｏ／Ｗ乳化物
〈Ｏ／Ｗ乳化安定性〉　
◎：調製直後と差なし　
○：油層分離（油分の約５％未満）　
△：油層分離（油分の約５〜１０％）　
×：油層分離（油分の約１０％を超える）　
  なお、◎および○を合格品とする。　
［００７８］［表１］　
　
［００７９］　
　表Ａ−１より、水酸基価が１２００以下であり且つ１級水酸基の割合が５０％以上のポリグリセリンを用いたポリグリセリン脂肪酸エステルが優れたＯ／Ｗ乳化安定性を有することは明らかである。　
　
（３）刊行物１に記載された発明　
　
ア　前記（刊１−３）のとおり、刊行物１には、実施例として、コエンザイムＱ１０を１０％、中鎖トリグリセライドとしてのカプリル酸／カプロン酸混合トリグリセライドを１〜１０％、界面活性剤としてのデカグリセリンモノステアリン酸エステル（ＨＬＢ１５）を８％、グリセリンを４３〜４８％、水を２９〜３３％配合した、コエンザイムＱ１０含有乳化組成物が記載されている（段落［００８２］［表１］）。
　
イ　したがって、刊行物１には、次の発明（以下、「刊行物１発明」という。）が記載されていると認められる。
　
（刊行物１発明）：「コエンザイムＱ１０を１０％、カプリル酸／カプロン酸混合トリグリセライドを１〜１０％、デカグリセリンモノステアリン酸エステルを８％、グリセリンを４３〜４８％、水を２９〜３３％配合した、コエンザイムＱ１０含有乳化組成物。」　
　
（４）対比・判断　
　
（４−１）本願明細書の記載
　
　本願明細書には、次の記載がある。
　
（本願１）「【発明の詳細な説明】　
【技術分野】　
【０００１】　
　本発明は、
水に容易に均一分散し、かつ低温・高温の過酷な条件下で長期間保存しても結晶や沈殿を生じることがない高い安定性を有する高結晶性物質含有組成物
【背景技術】　
【０００２】　
　
高結晶性物質の中には生体にとって重要な働きをもつものが多数存在
水難溶性アミノ酸、γ−オリザノール、葉酸、ビタミンＢ
１
など
その利用を妨げているのは高結晶性物質の結晶性、水性媒体や油性媒体への分散性が悪いことが挙げられる
ポリグリセリン脂肪酸エステル等の乳化剤を用いて長期間保存しても均質な乳化、分散または可溶化状態を保つ植物ステロールの水溶性組成物（例えば、特許文献２参照。）等が開示
・・・　
【発明の開示】　
【発明が解決しようとする課題】　
【０００５】　
  しかしながら、
現在市販されている一般のポリグリセリン脂肪酸エステル
環状体を多く含んでいる
高い乳化、可溶化力は発揮することができず
高結晶性物質を安定に水中へ分散させることを妨げる
ポリグリセリン中の環状体について着目した手法はない
・・・　
【０００７】　
  また、
高結晶性物質は
溶解状態を維持しながら乳化させることは難しい
低温、高温保存を繰り返すことにより濁りや結晶を生じ、乳化破壊を起こす
安定分散が極めて困難
【０００８】　
  よって、これらの方法では、高結晶性物質の安定な乳化、可溶化状態を長期間保つことができ、安心して飲食品や化粧品に配合できる組成物として十分に満足しうるものは調製することは難しい。　
【０００９】　
  従って、本発明は前記従来技術に鑑みてなされたものであり、
本発明の課題は、高結晶性物質を水に容易に均一分散でき、かつ低温・高温の過酷な条件下で長期間保存しても結晶や沈殿を生じない高い安定性を有し、さらに耐酸性、耐塩性、耐熱性、耐アルコール性に優れた高結晶性物質含有組成物、ならびに前記組成物を含有する飲食品、または化粧品を提供することにある
【課題を解決するための手段】　
【００１０】　
　本発明者らは、上記課題を解決するため鋭意検討した結果、優れた結晶抑制効果、乳化、可溶化効果をもった
特殊なポリグリセリン脂肪酸エステルと
特定された液状油とを用いることによって
・・・　
【発明の効果】
【００１２】　
　本発明の高結晶性物質含有組成物は、高結晶性物質を水又に容易に均一分散でき、かつ低温・高温の過酷な条件下で長期間保存しても結晶や沈殿を生じない高い安定性を有し、さらに耐酸性、耐塩性、耐熱性、耐アルコール性に優れるという効果を奏するものである。」　
　
（本願２）「【発明を実施するための最良の形態】　
・・・　
【００１４】
　本明細書において、
高結晶性物質とは
【００１５】　
　
高結晶性物質の例としては
水難溶性アミノ酸類
水難溶性ビタミン類
β−カロチン
フラボン、フラボノール、フラバノン
イソフラボン
カルコン
フラボノイド類
フェルラ酸
γ−オリザノール
α−リポ酸
ケルセチン
【００１６】　
　本発明の高結晶性物質含有組成物に用いる
ポリグリセリン脂肪酸エステルに用いるポリグリセリンは
水酸基価
１級水酸基
環状体含量
【００１７】　
　以上のような特徴を有することにより、本発明の高結晶性物質含有組成物に用いるポリグリセリン脂肪酸エステルは高結晶性物質の
水分散性の付与に優れ、かつ結晶化を抑制する界面活性剤として使用することができるもの
【００２０】　
　また、
ポリグリセリンの水酸基価
１２００以下
水酸基価は７７０以上
・・・　
【００２３】　
　さらに、
ポリグリセリンの環状体含有量
・・・　
【００２５】　
　
ポリグリセリン脂肪酸エステルのもう一つの構成成分である脂肪酸
なかでも乳化安定性の面からラウリン酸、ミリスチン酸、パルミチン酸、ステアリン酸、イソステアリン酸、オレイン酸
・・・　
【００２９】　
　
本発明に用いる液状油は、高結晶性物質の溶解性、低温安定性の観点から、ＩＯＢ値が０．２０〜０．６０
ＩＯＢ値がこの範囲外のものでは、高結晶性油脂の十分な溶解、結晶抑制を得ることができない
【００３０】　
　
ＩＯＢが０．２０〜０．６０の液状油の具体例としては
トリ（カプリル・カプリン酸）グリセリン（０．３０）
なお、かっこ内の数字はＩＯＢ値
【００３１】　
　本発明の高結晶性物質含有組成物において、該組成物が飲食品中に均一かつ長期的に安定に分散することは勿論であるが、さらに
多価アルコールを用いることによってハンドリング性、製剤安定性、水分散時の安定性が向上する
グリセリン
【００３２】　
　
さらに、本発明品の高結晶性物質含有組成物を多価アルコール中油型（Ｏ／Ｄ型）の乳化物とすることによって、水に容易に分散でき、また経時的に結晶や沈殿などを生じない組成物とすることができる
・・・　
【００３８】　
　
本発明の高結晶性物質含有組成物の組成については特に限定するものではなく
任意に調製すればよい
高結晶性物質の下限としては
好ましくは０．１重量％以上であり、さらに好ましくは１重量％以上
また上限としては
好ましくは８０重量％以下
ポリグリセリン脂肪酸エステルは
さらに好ましくは１〜４０重量％
液状油は０．１〜３０重量％が好ましく
多価アルコールは１〜９９重量％が好ましく
　
（本願３）「【実施例】　
【００４７】
　以下、実施例を示して本発明を具体的に説明するが、本発明は下記実施例に制限されるものではない。
【００４８】　
　実施例１〜２４及び比較例１〜１２　
　表２〜４に示す
界面活性剤
液状油
高結晶性物質
多価アルコール
水
・・・　
【００５４】
　試験例１〔乳化安定性〕　
　得られた実施例１〜２４及び比較例１〜１２の組成物を、１００ｍｌの透明瓶に充填後、密栓した。各組成物について、５℃、２５℃及び５０℃の暗所にて４週間保存後の状態を目視で確認し、以下の評価基準より乳化安定性を評価した。結果を表２〜４に示す。　
【００５５】　
　＜乳化安定性の評価基準＞　
　◎：結晶析出や濁りを認めず、透明である　
　○：濁りを認める　
　△：濁りを認め、結晶が少し析出する（数〜十数個程度）　
　×：濁りを認め、結晶が多く析出する（数十個以上）　
　××：結晶が多く析出し、完全に分相する　
　なお、全ての温度帯において◎および○を合格品とする。　
【００５６】　
　試験例２〔水溶液中の安定性〕　
　実施例１〜２４及び比較例１〜１２の組成物を高結晶性物質の濃度が０．０５重量％となるよう、クエン酸０．２４重量％、クエン酸Ｎａ０．０４重量％および食塩１重量％を加えたｐＨ２．８の水溶液で希釈し、高結晶性物質を含む希釈溶液を調製した。得られた希釈溶液について、１００ｍｌの透明ガラス瓶に充填し、５５℃、７２時間保存の後、３℃、７２時間の保存を１つのサイクルとし、このサイクルを５サイクル繰り返し暗所にて保存した。保存後の試料について、状態を目視で確認し、以下の評価基準より外観を評価した。結果を表２〜４に示す。　
【００５７】　
　＜安定性の評価基準＞　
　◎：結晶析出や濁りを認めず、透明である（容器瓶越しに文字が確認可能）　
　○：濁りを認める　
　△：結晶が少し析出する（数〜十数個程度）　
　×：結晶が多く析出する（数十個以上）　
　なお、◎および○を合格品とする。　
【００５８】　
　　
　
【００５９】　
　　
　
【００６０】　
　　
　
【００６１】　
　　
　
」
　
（４−２）本願補正発明と刊行物１発明の対比（一致点・相違点の認定）　
　
ア（１）刊行物１発明における「コエンザイムＱ１０」は、前記（刊１−２）の段落［０００３］、［０００６］、［０００７］のとおり、生体に必須の成分であり、従来より、水溶性の食品、化粧品等への配合においては、乳化・可溶化という方法が採用される脂溶性成分である。　
　
ア（２）一方、本願補正発明における「高結晶性物質」は、前記２．（１）のとおり、「γ−オリザノール、Ｌ−メントール、β−カロチン、Ｌ−アスコルビン酸パルミチン酸エステル、チアミンラウリル硫酸塩、葉酸、ウコン色素、α−リポ酸、ケルセチン、ルチン、コメヌカロウ、フェルラ酸及び３．４−メチレンジオキシフェノールのいずれかである」と限定的に列挙されたもののみであるが、本願明細書においては、「高結晶性物質」は、前記（本願１）の段落【０００２】のとおり、「生体にとって重要な働きをもつもの」として「多数存在する」結晶性有機化合物であり、従来より、「ポリグリセリン脂肪酸エステル等の乳化剤を用いて長期間保存しても均質な乳化、分散または可溶化状態を保つ」水溶性組成物を構成する成分としても知られたものであると説明されている。そして、（本願２）の段落【００１５】のとおり、本願明細書において、「高結晶性物質」は、水難溶性アミノ酸類、水難溶性ビタミン類、β−カロチン等の色素類、油脂類、生理活性成分や有用成分を例示することができるものであり、化学構造に着目して例示するならば、脂肪酸類、スフィンゴリン脂質類、フラボノイド類、γ−オリザノール等のフェニルプロパノイド類、イソプレノイド類、カプサイシン等の酸アミド化合物、イミダゾール誘導体、α−リポ酸等の含硫化合物等を挙げることができるものであり、さらに、別の観点から分類すると、配糖体から糖が外れたアグリコンもその範疇に含まれ、例えば、ケルセチン、ダイゼインが挙げることができるものである。したがって、本願明細書における「高結晶性物質」は、本願補正発明における特定の化合物に限らず、非常に広範な種類の化合物を含むものであるということができる。　
　
ア（３）そうであれば、刊行物１発明におけるコエンザイムＱ１０は、本願補正発明において高結晶性物質として限定的に列挙された「γ−オリザノール、Ｌ−メントール、β−カロチン、Ｌ−アスコルビン酸パルミチン酸エステル、チアミンラウリル硫酸塩、葉酸、ウコン色素、α−リポ酸、ケルセチン、ルチン、コメヌカロウ、フェルラ酸及び３．４−メチレンジオキシフェノールのいずれか」とは、生体にとって重要な働きをもつ脂溶性物質であり、水溶性組成物において、乳化、分散または可溶化されて配合される高結晶性物質成分である点で共通するということができる。　
　
イ　刊行物１発明における「カプリル酸／カプロン酸混合トリグリセライド」は、一般に化粧料に汎用される合成系の液状油剤の成分であるところ（要すれば、例えば、特開２００５−１６２６５２号公報の段落【００２１】〜【００２３】、特開２００１−３０２４４０号公報の段落【００１４】、特開２００５−１１３１２４号公報の段落【０２０１】を参照。）、前記（本願２）の段落【００２９】〜【００３０】の記載「本発明に用いる液状油は、高結晶性物質の溶解性、低温安定性の観点から、ＩＯＢ値が０．２０〜０．６０・・・である。・・・ＩＯＢが０．２０〜０．６０の液状油の具体例としては、・・・、トリ（カプリル・カプリン酸）グリセリン（０．３０）、・・・などが挙げられ、これら例示に限定するものではなく・・・用いることができる。」に照らし、化粧料に配合される「液状油」である点で、本願補正発明の成分「（Ｃ）ＩＯＢ（無機／有機バランス）値が０．２０−０．６０である液状油」と共通するということができる。　
　
ウ　刊行物１発明における「デカグリセリンモノステアリン酸エステル」は、前記（刊１−２）の段落［００３０］〜［００３１］のとおり、食品、医薬品および化粧品の分野で乳化剤や分散剤として広く使われるものとして例示され、界面活性剤として使用されるポリグリセリン脂肪酸エステルであるから、前記（本願２）の段落【００１７】の記載「本発明の高結晶性物質含有組成物に用いるポリグリセリン脂肪酸エステルは高結晶性物質の水分散性の付与に優れ、かつ結晶化を抑制する界面活性剤として使用することができるものである。」に照らして明らかなように、本願補正発明の成分「（Ｂ）水酸基価が７７０以上、１２００以下、かつ全ての水酸基のうち１級水酸基が５０重量％以上９０重量％以下であり、さらに環状体含有量が２５重量％以下であるポリグリセリンと脂肪酸とがエステル化されたポリグリセリン脂肪酸エステル」と、界面活性剤として使用されるポリグリセリン脂肪酸エステルである点で共通する。　
　
エ　刊行物１発明におけるグリセリン及び水が、各々、本願補正発明における成分「（Ｄ）多価アルコール」及び「（Ｅ）水」に相当するものであることは明らかである。　
　
オ　そうすると、本願補正発明と刊行物１発明との間には、次の一致点・相違点があるということができる。　
　
（一致点）：「下記（Ａ）−（Ｅ）を各々所定の割合で含有する高結晶性物質含有組成物。　
　（Ａ）生体にとって重要な働きをもつ脂溶性物質であり、水溶性組成物において、乳化、分散または可溶化されて配合される高結晶性物質　
　（Ｂ）ポリグリセリン脂肪酸エステル　
　（Ｃ）液状油　
　（Ｄ）多価アルコール　
　（Ｅ）水」　
　
（相違点１）：成分「（Ａ）生体にとって重要な働きをもつ脂溶性物質であり、水溶性組成物において、乳化、分散または可溶化されて配合される高結晶性物質」に関し、本願補正発明では、「高結晶性物質が、γ−オリザノール、Ｌ−メントール、β−カロチン、Ｌ−アスコルビン酸パルミチン酸エステル、チアミンラウリル硫酸塩、葉酸、ウコン色素、α−リポ酸、ケルセチン、ルチン、コメヌカロウ、フェルラ酸及び３．４−メチレンジオキシフェノールのいずれかである」と特定されるのに対して、刊行物１発明では、高結晶性物質がコエンザイムＱ１０である点。　
　
（相違点２）：成分「（Ｂ）ポリグリセリン脂肪酸エステル」に関し、本願補正発明では、「水酸基価が７７０以上、１２００以下、かつ全ての水酸基のうち１級水酸基が５０重量％以上９０重量％以下であり、さらに環状体含有量が２５重量％以下であるポリグリセリンと脂肪酸とがエステル化された」ポリグリセリン脂肪酸エステルと特定されるのに対して、刊行物１発明では、「デカグリセリンモノステアリン酸エステル」である点。　
　
（相違点３）：成分（Ａ）〜（Ｅ）の含有量に関し、本願補正発明では、各々、「１−１５重量％」、「１５−４０重量％」、「２０−４０重量％」、「１０−５９重量％」、「０−５重量％」であるのに対して、刊行物１発明では、各々、「１０％」、「８％」、「１〜１０％」、「４３〜４８％」、「２９〜３３％」である点。
　
（相違点４）：成分「（Ｃ）液状油」に関し、本願補正発明では、「ＩＯＢ（無機／有機バランス）値が０．２０−０．６０である」と特定されているのに対して、刊行物１発明では、この点の特定がない点。　
　
（４−３）相違点１〜４についての容易想到性の判断　
　
　相違点１は、相違点３とも関係するので、相違点２について検討した後に、まとめて検討する。　
　
（４−３−１）相違点２について
　
ア　前記（刊２−１）のとおり、刊行物２には、請求項１に「水酸基価が１２００以下であり、かつ全ての水酸基のうち１級水酸基が５０％以上であるポリグリセリンと脂肪酸とがエステル化されたポリグリセリン脂肪酸エステル」が記載され、請求項２には、「請求項１のポリグリセリン脂肪酸エステルを含有する乳化乃至可溶化組成物」が記載され、前記（刊２−２）のとおり、「従来の界面活性剤では不可能であった可溶化物や安定な乳化物の製造が可能となる」こと（段落［０００９］）、「可溶化性能および乳化性能に優れた界面活性剤として使用することができる」こと（段落［００１２］）が記載されている。そして、「作業性および脂肪酸とのエステル化の容易性の観点から、水酸基価は７７０以上が好ましい」こと（段落［００１５］）、また、「グリセリンを原料としてポリグリセリンを製造した場合、脱水縮合に際して分子内縮合により６員環や８員環など好ましくない副生成物が多く発生するので、これら副生成物が発生しないように」「合成、精製して副生成物をほとんど含有しないポリグリセリンを調製することもできる」（段落［００１９］）とも記載され、「さらに、本発明のポリグリセリン脂肪酸エステルに油性物質を混合して、油性物質の乳化乃至可溶化組成物としてもよい。この場合の油性物質は特に限定するものではないが、例えば、ビタミンＡ・・・などの脂溶性ビタミン、カロチン・・・などの油溶性色素、・・・天然香料、・・・合成香料、ウコン抽出物・・・などの香辛料抽出物、オリザノール、米ぬか油抽出物・・・などの疎水性酸化防止剤、・・・脂肪酸誘導体、・・・米ぬか油などの油脂の他、・・・生理活性成分や有用成分を例示することができる。また、油性物質を別の観点から化学構造に着目して例示するならば、・・・テルペノイド類、カロテノイド類、ステロイド類・・・フラボン、フラボノール、フラバノン・・・イソフラボン、カルコン・・・といったフラボノイド類、・・・α−ピロン類、・・・芳香族化合物、・・・カプサイシン類といった含窒素化合物、含硫化合物が挙げられる。」（段落［００３９］）、「この油性物質の乳化乃至可溶化組成物調製においては、本発明のポリグリセリン脂肪酸エステルと油溶性物質の他に、組成物の安定性向上や組成物を水に分散させたときの安定性向上を目的として、多価アルコールの配合が推奨される。この場合の多価アルコールとしては特に限定するものではないが、グリセリン、プロピレングリコール、ポリグリセリン、液糖といったものが例示でき、特に安全性や取り扱いやすさの点からグリセリンが好適に利用できる。また補助的に他の乳化剤や水、エタノールといった溶剤類の使用も可能である。この本発明のポリグリセリン脂肪酸エステルと油性物質および多価アルコールの配合割合は特に定めるものではなく、油性物質の物性や使用目的に応じて任意の割合で配合すればよい。乳化乃至可溶化組成物の安定性、取り扱いやすさ、水分散時の安定性から、推奨される配合割合を例示するならば、本発明のポリグリセリン脂肪酸エステル１〜４０重量部、好ましくは５〜２０重量部、油性物質２〜５０重量部、好ましくは２〜３０重量部、多価アルコール２０〜９０重量部、好ましくは５０〜８０重���部といった配合比率を挙げることができる。」（段落［００４０］）とも記載されている。　
　
イ　したがって、従来の界面活性剤では不可能であった可溶化物や安定な乳化物の製造が可能となることを目指して、刊行物１発明において、界面活性剤成分としてのポリグリセリン脂肪酸エステルを、刊行物２に記載された「水酸基価が１２００以下であり、かつ全ての水酸基のうち１級水酸基が５０％以上であるポリグリセリンと脂肪酸とがエステル化されたポリグリセリン脂肪酸エステル」に特化することを想到し、水酸基価の下限を７７０とすること、６員環や８員環などの好ましくない環状体含有量を少なく抑えたポリグリセリンを用いることなどにも配慮して、「水酸基価が７７０以上、１２００以下、かつ全ての水酸基のうち１級水酸基が５０重量％以上９０重量％以下であり、さらに環状体含有量が２５重量％以下であるポリグリセリンと脂肪酸とがエステル化された」ポリグリセリン脂肪酸エステルとすること、すなわち、相違点２に係る構成をなすことは、刊行物１及び２に接した当業者にとって格別困難なことではない。　
　
（４−３−２）相違点１及び３について　
　
ア　前記（４−２）ア（１）のとおり、刊行物１発明における「コエンザイムＱ１０」は、生体に必須の成分であり、従来より、水溶性の食品、化粧品等への配合においては、乳化・可溶化という方法が採用される脂溶性成分であり、刊行物１発明は、前記（刊１−２）の段落［００１０］のとおり、保存安定性に優れ、また水に対する溶解性または分散性に優れたコエンザイムＱ１０含有乳化組成物を提供することを目的としてなされたものである。　
　一方、前記（４−３−１）アのとおり、刊行物２には、特定のポリグリセリンと脂肪酸とがエステル化されたポリグリセリン脂肪酸エステルを含有する乳化乃至可溶化組成物が記載され、「従来の界面活性剤では不可能であった可溶化物や安定な乳化物の製造が可能となる」ことが記載され、「本発明のポリグリセリン脂肪酸エステルに油性物質を混合して、油性物質の乳化乃至可溶化組成物としてもよい。この場合の油性物質としては特に限定するものではないが、例えば、・・・脂溶性ビタミン、カロチン・・・などの油溶性色素、・・・ウコン抽出物・・・、オリザノール、米ぬか油抽出物・・・米ぬか油などの油脂の他、・・・生理活性成分や有用成分を例示することができる。また、油性物質を別の観点から化学構造に着目して例示するならば、・・・フラボン、フラボノール、フラバノン・・・イソフラボン、カルコン・・・といったフラボノイド類、・・・含窒素化合物、含硫化合物が挙げられる。」とも記載されている。　
　したがって、刊行物１及び２に接した当業者において、刊行物１発明におけるコエンザイムＱ１０のほかに、人体に不可欠の脂溶性物質として、刊行物２に具体的に例示された油性物質であるオリザノール、米ぬか油抽出物、米ぬか油などの周知の物質を想起し、コエンザイムＱ１０に代えて乳化組成物とすることは格別困難なことではない。　
　
イ　前記（４−２）ア（２）のとおり、本願明細書において、「高結晶性物質」は、本願補正発明において特定された化合物「γ−オリザノール、Ｌ−メントール、β−カロチン、Ｌ−アスコルビン酸パルミチン酸エステル、チアミンラウリル硫酸塩、葉酸、ウコン色素、α−リポ酸、ケルセチン、ルチン、コメヌカロウ、フェルラ酸及び３．４−メチレンジオキシフェノール」に限らず、非常に広範な種類の化合物を含むものであるところ、本願補正発明は、前記化合物に限定したものである。　
　しかし、本願明細書には、本願補正発明が、高結晶性物質として、特に、前記化合物を選択した格別の理由は記載されていない。　
　
ウ　本願補正発明が、高結晶性物質として特定する前記化合物は、前記（本願３）の段落【００５８】【表１】〜【００６１】【表４】に照らすならば、その各々は、実施例１〜２４のいずれかにおいて採用された物質であるということはできるが、それにとどまるものである。　
　しかも、「Ｌ−メントール」を採用した「実施例１３」は、水を１０％含有するから、本願補正発明から外れるものである。同様に、「β−カロチン」を採用した「実施例１４」と、「Ｌ−アスコルビン酸パルミチン酸エステル」を採用した「実施例１５」も、水を１０％含有するから、本願補正発明から外れるものであり、「ルチン」を採用した「実施例２１」は、水を１３％含有するから、本願補正発明から外れるものである。また、「α−リポ酸」を採用した「実施例１９」は、成分Ｃとしてのジカプリン酸プロピレングリコール（ＩＯＢ値が０．２７）を１０％しか含有しないから、本願補正発明から外れるものである。しかるところ、本願補正発明から外れるこれらの態様は、乳化安定性と水溶液の安定性の全項目が「◎」の高評価を得たものを含む（実施例１３，１４，１９，２１が該当する。）から、仮に、本願補正発明が、Ｌ−メントール、β−カロチン、Ｌ−アスコルビン酸パルミチン酸エステル、ルチン、α−リポ酸を特定しないものであるとしても、乳化安定性と水溶液の安定性の全項目が「◎」とは限らない実施例１〜１２，１６〜１８，２０，２２〜２４に照らし、格別に効果が優れるものを選択したものであるということはできない。　
　なお、多価アルコールであるグリセリンの配合量が２５％である実施例１２は、各成分の配合量の合計が１００％にならない（９０％にしかならない）から、実施例のデータとして適正なものではない。
　
エ　そして、刊行物１発明におけるコエンザイムＱ１０に代えて、人体に不可欠の脂溶性物質として、刊行物２に具体的に例示されたオリザノール、米ぬか油抽出物、米ぬか油などの周知の物質を用いることを想到し得る当業者において、各成分の配合割合は、水溶性組成物としての可溶化性、乳化安定性などを考慮して、適宜決定すべきものである。
　
オ　本願補正発明における各成分の配合割合についても、前記（本願３）の段落【００３８】のとおり、そもそも「本発明の高結晶性物質含有組成物の組成については特に限定するものではなく」「任意に調整すればよい」ものであり、高結晶性物質については０．１重量％以上８０重量％以下、ポリグリセリン脂肪酸エステルについては０．０１〜８０重量％、液状油は０．１〜３０重量％、多価アルコールは１〜９９重量％が、好ましい範囲として目安が記載され、前記（本願１）の段落【０００９】のとおり、「高結晶性物質を水に容易に均一分散でき」、「長期間保存しても結晶や沈殿を生じない高い安定性を有する」組成物とするべく適宜決定されるものである。　
　そして、本願明細書に記載された実施例・比較例を見ても、各成分の配合割合の上限値・下限値に臨界的意義は認められず、むしろ、前記ウのとおり、実施例とされる態様についても、本願補正発明から外れるものがあるところである。　
　
カ　したがって、刊行物１発明において、コエンザイムＱ１０に代えて、同じく人体に不可欠の脂溶性物質として、刊行物２に具体的に例示された油性物質であるオリザノール、米ぬか油抽出物、米ぬか油などの周知の物質とすること、界面活性剤としてのポリグリセリン脂肪酸エステルとして、刊行物２に記載された特定のポリグリセリン脂肪酸エステルを採用することを想到し得る当業者にとって、水溶性組成物としての可溶化性、乳化安定性の向上などを考慮して、各成分の配合割合を適宜決定する場合に、特に、成分Ｅの水「２９〜３３％」を「０−５重量％」に減らし、成分Ｂの特定のポリグリセリン脂肪酸エステルと成分Ｃの液状油を、各々「８％」から「１５−４０重量％」に、「１〜１０％」から「２０−４０重量％」に増やすことに格別困難はない。　
　
（４−３−３）相違点４について　
　
　前記（４−２）イのとおり、化粧料には適宜液状油剤が配合されるところ、化粧料や皮膚外用剤に用いられる極性油分として、ＩＯＢ値が０〜１．０、好ましくは０〜０．５のエステル系液状油剤は格別のものではない（要すれば、特開２００６−２７３７９０号公報の段落【００３４】〜【００３５】を参照。）から、人体に不可欠の脂溶性物質が乳化、分散または可溶化されて配合される刊行物１発明において、保存安定性、水に対する溶解性、分散性の向上に配慮し、配合する液状油成分について、そのＩＯＢ値を最適化し、「ＩＯＢ（無機／有機バランス）値が０．２０−０．６０である液状油」と特定することは、当業者が適宜なし得ることである。　
　
（４−３−４）効果について　
　
　前記（４−３−２）ウのとおり、本願補正発明は、乳化安定性と水溶液の安定性の全項目が「◎」とは限らない実施例１〜１２，１６〜１８，２０，２２〜２４を含むものであり、一方、本願補正発明を外れる態様である実施例１３〜１５，１９，２１には、乳化安定性と水溶液の安定性の全項目が「◎」の高評価を得たものがあるから、本願補正発明の効果が格別顕著であるということはできない。
　
（４−３−５）まとめ　
　
　以上より、本願補正発明は、刊行物１〜２に記載された事項に基づいて、当業者が容易に発明をすることができたものであるから、特許法第２９条第２項の規定により特許出願の際独立して特許を受けることができない。
　
（５）小括　
　
　よって、本件補正は、平成１８年改正前特許第１７条の２第５項において準用する同法第１２６条第５項の規定に違反してなされたものであるから、同法第１５９条第１項において読み替えて準用する同法第５３条第１項の規定により却下すべきものである。　
  
第３　本願発明について　
　
１．本願発明　
　
  平成２４年７月１３日付けの手続補正は、前記のとおり却下されたので、本願の請求項に係る発明は、平成２４年３月６日付けの手続補正書の特許請求の範囲の請求項１ないし２に記載された事項により特定されるものであるところ、その請求項１に係る発明（以下、「本願発明」という。）は、次のとおりのものである。
　
「【請求項１】
　下記（Ａ）−（Ｅ）を含有する高結晶性物質含有組成物。
　（Ａ）高結晶性物質１−１５重量％
　（Ｂ）水酸基価が７７０以上、１２００以下、かつ全ての水酸基のうち１級水酸基が５
０重量％以上９０重量％以下であり、さらに環状体含有量が２５重量％以下であるポリグ
リセリンと脂肪酸とがエステル化されたポリグリセリン脂肪酸エステル１５−４０重量％
　（Ｃ）ＩＯＢ（無機／有機バランス）値が０．２０−０．６０である液状油２０−４０
重量％
　（Ｄ）多価アルコール１０−５９重量％
　（Ｅ）水０−５重量％」
　
２．刊行物　
　
　原査定の拒絶の理由で引用された刊行物及びその記載事項は、前記「第２［理由］２．（２）」に記載したとおりである。
　
３．対比・判断　
　
　本願発明は、前記「第２［理由］２．」で検討した本願補正発明から「高結晶性物質」として限定列挙された「γ−オリザノール、Ｌ−メントール、β−カロチン、Ｌ−アスコルビン酸パルミチン酸エステル、チアミンラウリル硫酸塩、葉酸、ウコン色素、α−リポ酸、ケルセチン、ルチン、コメヌカロウ、フェルラ酸及び３．４−メチレンジオキシフェノールのいずれかである」との構成を省いたものである。
　そうすると、本願発明の構成要件を全て含み、さらに他の構成要件を付加したものに相当する本願補正発明が、前記「第２［理由］２．」に記載したとおり、刊行物１〜２に記載された事項に基づいて、当業者が容易に発明をすることができたものであるから、本願発明も、同様の理由により、刊行物１〜２に記載された事項に基づいて、当業者が容易に発明をすることができたものである。
　
４．まとめ　
　
　以上のとおり、本願発明は、刊行物１〜２に記載された事項に基づいて、当業者が容易に発明をすることができたものであるから、特許法第２９条第２項の規定により特許を受けることができない。
　
第４　むすび　
　
　前記第３のとおり、本願発明は、特許法第２９条第２項の規定により特許を受けることができない。
　したがって、本願の他の請求項について検討するまでもなく、本願は拒絶すべきものである。
　よって、結論のとおり審決する。